(57)【要約】【課題】ＬＥＤ表示装置のバックライトとして使用した際の放熱性能を十分に向上させることができるＬＥＤ表示パネルを提供すること。【解決手段】ＬＥＤ素子用基板１にＬＥＤ素子２が実装されているＬＥＤ実装モジュール１０と、ＬＥＤ実装モジュール１０ＬＥＤ素子２が実装される表面の反対側の面に接着部材４を介して配置される、放熱基材５と、を備えるＬＥＤ表示装置であって、ＬＥＤ素子用基板１は、支持基板１１の一方の面であるＬＥＤ素子２が実装される表面に、ＬＥＤ素子２を実装可能な配線部１３が形成されており、支持基板１１の他方の面であるＬＥＤ素子２が実装される表面の反対側の表面に金属層１６が積層されており、支持基板１１が厚さ１０μｍ以上６０μｍ以下のポリエチレンナフタレートを含む樹脂フィルムであるＬＥＤ表示装置１００である。【選択図】図３
2017152450.tif 000002
【特許請求の範囲】
【請求項１】
ＬＥＤ素子用基板にＬＥＤ素子が実装されている、ＬＥＤ実装モジュールと、
前記ＬＥＤ実装モジュールの前記ＬＥＤ素子が実装される側の表面の反対側の表面に接着部材を介して配置される、放熱基材と、を備えるＬＥＤ表示装置であって、
前記ＬＥＤ素子用基板は、支持基板の一方の面であるＬＥＤ素子が実装される表面に前記ＬＥＤ素子を実装可能な配線部が形成されており、前記支持基板の他方の面であるＬＥＤ素子が実装される表面の反対側の表面に金属層が積層されており、
前記支持基板が厚さ１０μｍ以上６０μｍ以下のポリエチレンナフタレートを含む樹脂フィルムであるＬＥＤ表示装置。
【請求項２】
レーザーフラッシュ法に基づき測定された前記接着部材の厚さ方向の２５℃における熱伝導率が０．１Ｗ／Ｋ・ｍ以上１０Ｗ／Ｋ・ｍ以下である請求項１に記載のＬＥＤ表示装置。
【請求項３】
前記放熱基材がＬＥＤ表示装置の金属シャーシである請求項１又は２に記載のＬＥＤ表示装置。
【請求項４】
前記接着部材が粘着テープである請求項１から３のいずれかに記載のＬＥＤ表示装置。
【請求項５】
ＬＥＤ素子用基板の面積に対する、前記接着部材の面積の割合が２％以上１００％以下である請求項１から４のいずれかに記載のＬＥＤ表示装置。
【発明の詳細な説明】
【技術分野】
【０００１】
本発明は、ＬＥＤ表示装置に関する。より詳しくは、発光ダイオード（ＬＥＤ）素子を光源とする直下型のバックライトを備える、液晶テレビ等のＬＥＤ表示装置に関する。
【背景技術】
【０００２】
近年、ブラウン管型のモニターに代わって、低消費電力化、機器の大型化と薄型化の要請に応え得るものとして、ＬＥＤ素子をバックライトの光源として用いた液晶テレビ等の各種のＬＥＤ表示装置の普及が急速に進展している。
【０００３】
ＬＥＤ表示装置として、例えば、直下型のＬＥＤ表示装置を挙げることができる。直下型のＬＥＤ表示装置とは、画面の直下に画素のようにＬＥＤを縦横にマトリックス状に敷き詰められたＬＥＤバックライトである。直下型のＬＥＤ表示装置は、エッジ式のＬＥＤ表示装置に比べて細かいエリアコントロールがしやすく、光を均一に全体に広げることができる。
【０００４】
しかしながら、直下型のバックライトは、エッジ式に比べて多数のＬＥＤを基板上に配置することが必要なため、ＬＥＤ素子からの発熱量の増加は、ＬＥＤ素子の発光能力の低下や、それによる消費電力の増加につながる。又、放熱によって基板等の周辺部材を膨張させ、更にはＯＮ／ＯＦＦを繰り返すことで、反りや亀裂等、周辺部材を劣化させる要因にもなる。このため、直下型はエッジ式に比べて放熱性の向上が強く求められる。この放熱性向上の要求は、近年大型化の進む液晶テレビ等のディスプレー等において特に喫緊の課題となっている。
【０００５】
例えば、樹脂フィルム基材に金属回路を形成したフレキシブル基板であって、放熱機能を発現させるために導通回路とは別途に設けられる金属層を別途形成した回路基板が提案されている（特許文献１）。
【０００６】
しかしながら、ＬＥＤ表示装置全体としては、ＬＥＤ素子の実装領域で発生した熱は最終的には、ＬＥＤ表示装置の背面側等に設けられる何らかの放熱基材から装置の外に放出される必要がある。よって、金属層を別途形成することによりＬＥＤ素子用基板の放熱性を向上させたとしても、金属層と放熱基材との間の熱伝導経路となる部分の熱伝導性が不十分であると、ＬＥＤ表示装置全体としては十分な放熱が行えないこととなる。
【０００７】
ここで、例えば、フレキシブル基板タイプのＬＥＤ実装モジュールを、ＬＥＤ表示装置の外部背面を構成する金属シャーシの内部側表面に直接設置する構造とすれば、ＬＥＤ表示装置全体の放熱性をシンプルな構造によって向上させることができる。そこで両面粘着テープ等によってＬＥＤ実装モジュールの支持基板を金属シャーシの背面等、放熱基材としての役割を果たす部分に直接貼付する構成も考えられる。
【０００８】
フレキシブル基板タイプのＬＥＤ実装モジュールを金属シャーシ等の放熱基材に固定するには、粘着テープ等により形成される接着部材をＬＥＤ素子用基板のＬＥＤ素子が実装されていない側である背面側に設けて、当該背面とは逆側の表面側から接着部材全体を均等に放熱基材表面に押しつけて固定する必要がある。ここで、ＬＥＤ素子には、その破損を防ぐために押圧をかけることがほとんどできない。よって、実際には、支持基板の背面側の面の一部に接着部材を設けてＬＥＤ実装モジュールと放熱基材とが物理的に接着される。
【先行技術文献】
【特許文献】
【０００９】
【特許文献１】特開２００９−８１１９４号公報
【発明の概要】
【発明が解決しようとする課題】
【００１０】
ＬＥＤ実装モジュールに金属シャーシ等の放熱基材を接着する際に接着テープ等によって行うことは、放熱基材の取付け作業が簡便に行えるため作業性は良好である。しかしながら、接着テープは、紙等からなる基材と接着層から構成され、これらの層には気泡を含有することがある。そのため接着テープ等により形成される接着部材の熱伝導率は極めて低い。
【００１１】
又、接着テープ等による接着作業を行った場合、接着テープ等は支持基板の背面側全面に貼らずに支持基板の背面側の面の一部に貼ることが一般的である。そのため、粘着テープが貼り付けられていない箇所は、ＬＥＤ素子用基板と放熱基材とが接触しないことになる。放熱基材への取付け作業を接着テープ等によって接着作業を行った場合には、ＬＥＤ表示装置の放熱性は悪化する。よって、製造時の作業性を維持したまま、その放熱性を更に向上させることができるＬＥＤ表示装置が求められていた。
【００１２】
本発明は、以上のような状況に鑑みてなされたものであり、ＬＥＤ表示装置のバックライトとして使用した際の放熱性能を十分に向上させることができるＬＥＤ実装モジュールを備えるＬＥＤ表示装置を提供することを目的とする。
【課題を解決するための手段】
【００１３】
本発明者らは、鋭意研究を重ねた結果、ＬＥＤ実装モジュールを支持基板の放熱基材表面に金属層が積層された構成とし、且つ、支持基板の材質、支持基板の厚さを最適化することにより、上記課題を解決できることを見出し本発明を完成するに至った。
【００１４】
（１）ＬＥＤ素子用基板にＬＥＤ素子が実装されている、ＬＥＤ実装モジュールと、前記ＬＥＤ実装モジュールの前記ＬＥＤ素子が実装される側の表面の反対側の表面に接着部材を介して配置される、放熱基材と、を備えるＬＥＤ表示装置であって、前記ＬＥＤ素子用基板は、支持基板の一方の面であるＬＥＤ素子が実装される表面に前記ＬＥＤ素子を実装可能な配線部が形成されており、前記支持基板の他方の面であるＬＥＤ素子が実装される表面の反対側の表面に金属層が積層されており、前記支持基板が厚さ１０μｍ以上６０μｍ以下のポリエチレンナフタレートを含む樹脂フィルムであるＬＥＤ表示装置。
【００１５】
（２）レーザーフラッシュ法に基づき測定された前記接着部材の厚さ方向の２５℃における熱伝導率が０．１Ｗ／Ｋ・ｍ以上１０Ｗ／Ｋ・ｍ以下である（１）に記載のＬＥＤ表示装置。
【００１６】
（３）前記放熱基材がＬＥＤ表示装置の金属シャーシである（１）又は（２）に記載のＬＥＤ表示装置。
【００１７】
（４）前記接着部材が粘着テープである（１）から（３）のいずれかに記載のＬＥＤ表示装置。
【００１８】
（５）ＬＥＤ素子用基板の面積に対する、前記接着部材の面積の割合が２％以上１００％以下である（１）から（４）のいずれかに記載のＬＥＤ表示装置。
【発明の効果】
【００１９】
本発明によれば、ＬＥＤ表示装置のバックライトとして使用した際に、多数のＬＥＤ素子からの発熱に対する放熱性を十分に向上させることができるＬＥＤ表示装置を提供することができる。
【図面の簡単な説明】
【００２０】
【図１】本発明の一実施形態のＬＥＤ表示装置の層構成の概略を模式的に示す斜視図である。
【図２】本発明の一実施形態のＬＥＤ表示装置に関するＬＥＤ実装モジュールの構成概略を示す平面図である。
【図３】図２のＡ―Ａ線における断面図であり、本発明の一実施形態のＬＥＤ表示装置の層構成の一例を模式的示す断面図である。
【発明を実施するための形態】
【００２１】
以下、本発明のＬＥＤ表示装置の一実施形態について詳細に説明する。本発明は、以下の実施形態に何ら限定されず、本発明の目的の範囲内において、適宜変更を加えて実施することができる。
【００２２】
＜ＬＥＤ表示装置＞
図１は、本実施形態のＬＥＤ表示装置１００の構成を模式的に示す斜視図である。ＬＥＤ表示装置１００は、例えばＬＥＤ表示装置の外部筐体である金属シャーシの背面側の金属プレートでもある放熱基材５と、放熱基材５に接着部材４を介して固定されているＬＥＤ実装モジュール１０と、液晶表示パネル等の表示画面３とを含んで構成される。これらのＬＥＤ表示装置１００を構成する各部材は、外部筐体内において、それぞれ所望の光学性能を発揮しうる適切な位置に配置されてＬＥＤ表示装置１００を構成する。尚、本発明に関する放熱基材は、金属シャーシの背面側の金属プレートに限定されるものではない。
【００２３】
又、本実施形態に関するＬＥＤ実装モジュール１０は、放熱基材５上に接着テープにより形成された接着部材４を介してＬＥＤ素子用基板が配置されている。尚、本発明に関する接着部材は、接着テープ（両面テープ）により形成された接着部材に限定されるものではないが、接着テープ（両面テープ）により形成されることにより、ＬＥＤ表示装置の製造時の作業性は向上する。
【００２４】
ＬＥＤ実装モジュール１０においては、支持基板１１のＬＥＤ素子が実装される表面に形成されている配線部１３上にＬＥＤ素子２が所定の間隔でマトリックス状に実装されている（図２）。ＬＥＤ素子用基板の配線部１３とＬＥＤ素子２との接合については、ハンダ層１４を介した接合を行う。このハンダによる接合方法は、大きく分けて、リフロー方式、或いは、レーザー方式の２方式のいずれかによって行うことができる。
【００２５】
又、支持基板１１のＬＥＤ素子が実装される表面の反対側の面であって、支持基板１１の放熱基材側の表面に、金属層１６が積層されている（図３）。支持基板１１の表面に金属層１６が積層されることにより、後述するようにＬＥＤ素子から発生した熱を効果的に放熱することができる。
【００２６】
更に、支持基板１１は、後述するように支持基板の材質、支持基板の厚さを最適化しているため、ＬＥＤ素子から発生した熱をより効果的に放熱することができる。
【００２７】
又、本実施形態のＬＥＤ表示装置１００の放熱基材を除く部分は、可撓性を有する部材によって構成されている。そのため、放熱基材が凹凸を有する平面でない面であっても接着部材を介して接着することにより、ＬＥＤ素子から発生した熱をより効果的に放熱することができる。本実施形態のＬＥＤ表示装置１００にように、支持基板の材質や厚さを最適化することによって、ＬＥＤ素子から発生した熱を効果的に放熱し、且つ、凹凸を有する平面でない面を有する放熱基材に対しても取り付け可能なＬＥＤ表示装置１００は従来には無い新規のＬＥＤ表示装置である。
【００２８】
尚、本実施形態のＬＥＤ表示装置１００の放熱基材を除く部分に、より可撓性を有するものとするには、本実施形態のＬＥＤ表示装置１００の放熱基材を除く部分の厚さを６００μｍ以下とすることが好ましく、本実施形態のＬＥＤ表示装置１００の放熱基材を除く部分を屈曲させたとしても耐久性を有するものとするためには、本実施形態のＬＥＤ表示装置１００の放熱基材を除く部分の厚さを５０μｍ以上とすることが好ましい。
【００２９】
［放熱基材］
本実施形態に関する放熱基材５とは、例えば、外部筐体である金属シャーシの背面側の金属プレート等の熱伝導性を有するＬＥＤ表示装置の一構成部品である。本実施形態に関するＬＥＤ実装モジュール１０は、ＬＥＤ実装モジュールの金属層積層側の表面と、放熱基材５と、が接着部材４を介して積層されてなる構成である。放熱基材５が備わることにより、ＬＥＤ素子２から発生した熱を支持基板１１及び金属層１６を通じて、放熱基材へと放熱することが可能となる。
【００３０】
［ＬＥＤ素子］
ＬＥＤ素子２は、Ｐ型半導体とＮ型半導体が接合されたＰＮ接合部で発光するＬＥＤチップ２１を内蔵する発光素子である。ＬＥＤ素子２は、通常、カソード（−）側（負極側配線部）の電極にＬＥＤチップを接合し、アノード（＋）側（正極側配線部）の電極に金線により導通を確保する態様で実装されることが一般的である。
【００３１】
［ＬＥＤ素子用基板］
ＬＥＤ実装モジュール１０を構成するＬＥＤ素子用基板１は、図３に示す通り、支持基板１１の一方の表面に、複数のＬＥＤ素子２を実装可能な態様で配線部１３が形成されている配線基板である。
【００３２】
そして、本実施形態に係るＬＥＤ素子用基板１は、ＬＥＤ素子が実装される側の表面の反対側の表面に、金属層１６が積層されている。金属層１６は、ＬＥＤ素子２から発生した熱を放熱基材へと放熱するための熱伝導経路としての役割を有する。
【００３３】
尚、本実施形態に係るＬＥＤ素子用基板１は、図３に示す通り、支持基板１１及び配線部１３上に熱硬化型インキ等からなる絶縁性保護膜１７が形成されている。この絶縁性保護膜１７は、ＬＥＤ素子用基板１の耐マイグレーション特性向上のために、配線部１３の表面のうちＬＥＤ素子２を実装するための接続部分を除く全面、及び、支持基板１１の表面のうち配線部１３の非形成部分の概ね全面を覆う態様で形成される。
【００３４】
更に、本実施形態に係るＬＥＤ素子用基板は、図３に示す通り、支持基板１１及び配線部１３上に、白色樹脂等からなる反射層１８が、絶縁性保護膜１７の上に積層されている。ただし、絶縁性保護膜１７に反射機能を備えさせることにより、反射層を設置せずに必要な反射機能を絶縁性保護膜によっても担保することもできる。又、反射層１８を絶縁性の高い樹脂で構成することによって、絶縁性保護膜１７を特に配置せず、反射層１８によってＬＥＤ素子用基板に必要な絶縁機能を担保することもできる。尚、本発明のＬＥＤ表示装置においては、絶縁性保護膜及び反射層は必須ではない。
【００３５】
本実施形態に係るＬＥＤ素子用基板のサイズについては、特段の限定はない。本実施形態に係る支持基板１１は後述するようにポリエチレンナフタレートを含む樹脂フィルムであり、基板のサイズ加工の自由度が極めて高い。そのため、例えば、対角線の長さが３２インチ以上、より好ましくは６５インチ以上の大型の表示画面３を備えるＬＥＤ表示装置であっても本発明を容易且つ好適に適用することができる。
【００３６】
本実施形態に係るＬＥＤ素子用基板１に、ＬＥＤ素子２が、ハンダ層１４を介して、配線部１３の上に導電可能な態様で実装されることによりＬＥＤ実装モジュール１０が構成される。
【００３７】
（金属層）
本実施形態に関する金属層１６は、支持基板１１のＬＥＤ素子が実装される表面の反対側の面に積層される金属の層である。支持基板１１の放熱基材５側の表面に金属層１６が積層されることにより金属層１６は、ＬＥＤ素子２から発生した熱を支持基板１１を通じて蓄熱し、放熱基材へと放熱することが可能となる。そのため、ＬＥＤ実装モジュールに金属シャーシ等の放熱基材を接着する際に熱伝導率の低い接着部材によって放熱基材の取付けを行ったとしても、放熱性を十分に向上させることができる。
【００３８】
金属層１６に用いることのできる金属は特に限定はされない。例えば、銅、アルミニウム、ステンレス鋼、チタン、モリブデン、クロム又はこれらの合金からなる金属層を例示することができる。又、これらの金属を複数張り合わせた積層体でもよい（図示せず）。
【００３９】
金属層の厚さは特に限定されるものではないが、例えば、１０μｍ以上１５０μｍ以下であることが好ましく、１５μｍ以上１００μｍ以下であることがより好ましい。金属層の厚さが１０μｍ以上であることにより、ＬＥＤ素子２から発生した熱を支持基板１１を通じて十分に蓄熱可能となり、ＬＥＤ素子から発生した熱をより効果的に放熱することができる。金属層の厚さが１５０μｍ以下であることにより、ＬＥＤ素子用基板の十分なフレキシブル性を維持することができ、重量増大によるハンドリング性の低下等も防止できる。
【００４０】
尚、金属層は金属箔で構成されていることが好ましい。又、ＬＥＤ素子用基板１の表面への金属層１６の積層は、接着層１５を介したドライラミネート法によって行われることが好ましい。この接着層１５を形成する接着剤は、公知の樹脂系接着剤を適宜用いることができる。それらの樹脂接着剤のうち、ウレタン系、ポリカーボネート系、又はエポキシ系の接着剤等を特に好ましく用いることができる。接着層１５の厚さはドライラミネート法によって行う場合には、１μｍ以上３００μｍ以下であることが好ましく、４μｍ以上１５μｍ以下であることがより好ましい。
【００４１】
（支持基板）
本実施形態に関する支持基板１１は、厚さ１０μｍ以上６０μｍ以下のポリエチレンナフタレート（ＰＥＮ）を含む樹脂フィルムである。ポリエチレンナフタレート（ＰＥＮ）を含む樹脂フィルムは、可撓性を有する樹脂フィルムであり、且つ、耐熱性及び絶縁性が高い。更に、ポリエチレンナフタレート（ＰＥＮ）を含む樹脂フィルムをアニール処理等の耐熱性向上処理を施すことによって更に耐熱性と寸法安定性を向上させることができる。
【００４２】
例えば、厚さ５０μｍのポリエチレンナフタレート（ＰＥＮ）からなる二軸延伸の樹脂フィルムであれば、２００℃の温度で３０秒程度アニール処理することにより、ＪＩＳ  Ｋ７１３３：１９９９に基づき測定されたＭＤ方向（二軸延伸の流れ方向）とＴＤ方向（ＭＤ方向と直行する方向）の熱収縮率（１５０℃×３０分）の平均値が、０．５％（アニール処理前）から０．１％（アニール処理後）にすることができる。
【００４３】
尚、ポリエチレンテレフタレート（ＰＥＴ）やポリエチレンナフタレート（ＰＥＮ）を含む樹脂フィルムには必要に応じて難燃性の無機フィラー等を添加してもよい。
【００４４】
支持基板１１を形成する熱可塑性樹脂は、熱収縮開始温度が１００℃以上のもの、又は、上記のアニール処理等によって、同温度が１００℃以上となるように耐熱性を向上させたものを用いることが好ましい。通常ＬＥＤ素子から発せられる熱により同素子周辺部は９０℃程度の温度に達する場合がある。この観点から、支持基板１１を形成する熱可塑性樹脂は、上記温度以上の耐熱性を有するものであることが好ましい。
【００４５】
尚、本明細書における「熱収縮開始温度」とは、ＴＭＡ装置に測定対象の熱可塑性樹脂からなるサンプルフィルムをセットし、荷重１ｇをかけて、昇温速度２℃／分で１２０℃まで昇温し、その時の収縮量（％表示）を測定し、このデータを出力して温度と収縮量を記録したグラフから、収縮によって、０％のベースラインから離れる温度を読みとり、その温度を熱収縮開始温度としたものである。又、本明細書における「熱硬化温度」とは、測定対象の熱硬化型樹脂を加熱した際の熱硬化反応の立ち上がり位置の温度を測定算出し、その温度を熱硬化温度としたものである。
【００４６】
又、支持基板１１には、ＬＥＤ実装モジュール１０としての一体化時に、ＬＥＤ素子用基板１に必要な絶縁性を付与し得るだけの高い絶縁性を有することが求められる。一般的には、支持基板１１は、その体積固有抵抗率が１０１４Ω・ｃｍ以上であることが好ましく、１０１８Ω・ｃｍ以上であることがより好ましい。
【００４７】
支持基板１１の厚さは、１０μｍ以上６０μｍ以下であれば特に限定されないが、好ましくは、１５μｍ以上４０μｍ以下である。支持基板１１の厚さが１０μｍ以上であることで耐熱性及び絶縁性を有するものとすることができる。支持基板１１の厚さが６０μｍ以下であることで、ＬＥＤ素子からの発熱に対する放熱性を十分に向上させることができる。又、ロール・トゥ・ロール方式による製造を行う場合の生産性を良好に維持する観点からも上記厚さ範囲であることが好ましい。
【００４８】
（接着層）
ＬＥＤ素子用基板１の表面への配線部１３の形成は、接着層１２を介したドライラミネート法によって行われることが好ましい。この接着層１２を形成する接着剤は、公知の樹脂系接着剤を適宜用いることができる。それらの樹脂接着剤のうち、ウレタン系、ポリカーボネート系、又はエポキシ系の接着剤等を特に好ましく用いることができる。この接着層１２は、通常、配線部１３のエッチング処理後に支持基板１１上に残存しているものである。
【００４９】
（配線部）
配線部１３とは、ＬＥＤ素子用基板の一方の表面にＬＥＤ素子を実装可能な金属箔等の導電性基材によって形成される配線パターンである。
【００５０】
配線部１３を構成する導電性基材の熱伝導率λは２００Ｗ／（ｍ・Ｋ）以上５００Ｗ／（ｍ・Ｋ）以下が好ましく、３００Ｗ／（ｍ・Ｋ）以上５００Ｗ／（ｍ・Ｋ）以下がより好ましい。配線部１３を構成する導電性基材の電気抵抗率Ｒは３．００×１０−８Ωｍ以下が好ましく、２．５０×１０−８Ωｍ以下がより好ましい。ここで、熱伝導率λの測定は、例えば、京都電子工業社製の熱伝導率計ＱＴＭ−５００を用いることができ、電気抵抗率Ｒの測定は、例えば、ケースレー社製の６５１７Ｂ型エレクトロメータを用いることができる。これによれば、例えば、銅の場合、熱伝導率λは４０３Ｗ／（ｍ・Ｋ）であり、電気抵抗率Ｒは１．５５×１０−８Ωｍとなる。
【００５１】
例えば、配線部１３を銅箔で形成した場合、放熱性と電気伝導性を高い水準で両立させることができる。より具体的には、ＬＥＤ素子からの放熱性が安定し、電気抵抗の増加を防げるので、ＬＥＤ間の発光バラツキが小さくなってＬＥＤの安定した発光が可能となる。又、ＬＥＤ素子の寿命も延長される。更に、熱による基板等の周辺部材の劣化も防止できるので、ＬＥＤ表示装置の製品寿命も延長できる。
【００５２】
尚、配線部１３の表面抵抗値は、５００Ω／□以下が好ましく、３００Ω／□以下がより好ましく、更に１００Ω／□以下が好ましく、特に５０Ω／□以下が好ましい。下限は０．００５Ω／□程度である。
【００５３】
配線部１３を形成する導電性基材の例としては、上記の銅の他、アルミニウム、金、銀等の金属等を挙げることができる。
【００５４】
又、配線部１３は電解銅箔であり、支持基板１１との積層面側の表面粗さＲｚが１．０以上１０．０以下であることがより好ましい。ここで、ＲｚはＪＩＳＢ０６０１で規定される十点平均粗さである。放熱性の観点から、表面粗さを上記範囲内とすることで、特に支持基板１１との積層面側の表面積を増大でき、放熱性を更に高めることができる。又、表面凹凸によって支持基板１１との密着性を向上できるので、これによっても放熱性を向上できる。このような表面粗さＲｚは、電解銅箔の粗面側（マット面側）を好適に用いることができる。
【００５５】
配線部１３の配置は、ＬＥＤ素子の導通可能な配置、好ましくはマトリックス状の配置で実装できる配置であれば特定の配置に限定されない。但し、本実施形態に関するＬＥＤ素子用基板においては、支持基板１１の一方の表面の好ましくは８０％以上、より好ましくは９０％、最も好ましくは９５％以上の範囲が、この配線部１３によって被覆されていることが好ましい。これにより、ＬＥＤ素子２を高密度で配置したＬＥＤ実装モジュール１０において発生する過剰な熱を十分に放熱することができる優れた放熱性をＬＥＤ実装モジュール１０に備えさせることができる。
【００５６】
又、配線部１３の厚さは、ＬＥＤ素子用基板１に要求される耐電流の大きさ等に応じて適宜設定すればよく、特に限定されないが、一例として厚さ１０μｍ以上５０μｍ以下が挙げられる。放熱性向上の観点から、配線部１３の厚さは、１０μｍ以上であることが好ましい。又、導電性基材の厚みが上記下限値に満たないと、支持基板１１の熱収縮の影響が大きく、はんだリフロー処理時に処理後の反りが大きくなりやすいため、この観点からも配線部１３の厚さは１０μｍ以上であることが好ましい。一方、同厚さが、５０μｍ以下であることによって、ＬＥＤ素子用基板１の十分なフレキシブル性を維持することができ、重量増大によるハンドリング性の低下等も防止できる。
【００５７】
（絶縁保護膜）
絶縁性保護膜１７は、熱硬化型インキによって、配線部１３と支持基板１１の表面上の電気的接合が必要となる一部分を除いた他の部分に、主としてＬＥＤ素子用基板の耐マイグレーション特性を向上させるために形成される。
【００５８】
熱硬化型インキとしては、熱硬化温度が１００℃以下程度のものであれば、公知のインキを適宜好ましく用いることができる。具体的には、ポリエステル系樹脂、エポキシ系樹脂、エポキシ系及びフェノール系樹脂、エポキシアクリレート樹脂、シリコーン系樹脂等、を其々ベース樹脂とする絶縁性インキを好ましく用いることができるインキの代表例として挙げることができる。又、これらのうちでも、ポリエステル系の熱硬化型の絶縁インキは、可撓性に優れる点から、ＬＥＤ素子用基板の絶縁性保護膜１７を形成するための材料として特に好ましい。
【００５９】
又、絶縁性保護膜１７を形成する熱硬化型インキは、例えば、二酸化チタン等の無機白色顔料を更に含有する白色のインキであってもよい。絶縁性保護膜１７を白色化することで、意匠性の向上を図ることができる。絶縁性の熱硬化型インキによる絶縁性保護膜１７の形成は、スクリーン印刷等公知の方法によって行うことができる。
【００６０】
（反射層）
反射層１８は、主として可視光波長域の光に対する高い反射性を有する反射部材である。そして、反射層１８は、ＬＥＤ実装モジュール１０の発光能力の向上を目的として、ＬＥＤ素子用基板の発光面側の最表面に、ＬＥＤ素子実装領域を除く領域を覆って積層されている。
【００６１】
反射層１８は、ＬＥＤ実装モジュール１０において、発光能力を向上させることを目的として、ＬＥＤ素子用基板１の発光面側の最表面に、ＬＥＤ素子２の実装部分を除いて積層される。ＬＥＤ素子の発光を反射し、所定の方向へ導くための反射面を持つ部材であれば特に限定されないが、白色ポリエステル発泡タイプの白色ポリエステル、白色ポリエチレン樹脂、銀蒸着ポリエステル等を、最終製品の用途とその要求スペック等に応じて適宜用いることができる。
【００６２】
［接着部材］
本実施形態に関する接着部材４は、特に限定されない。例えば、従来公知の粘着テープ等により形成されていてもよい。従来公知の粘着テープを用いることにより、ＬＥＤ実装モジュールの放熱基材への取付け作業が簡便に行えるため作業性は良好である。又、接着剤等により形成される層を接着部材としてもよい。
【００６３】
接着部材４を従来公知の接着テープ等によって形成される場合、ＬＥＤ素子用基板の背面側全面に形成されていてもよいが、背面側の面の一部に形成されていてもよい。接着部材４が支持基板の背面側の面の一部にのみ形成されたようなＬＥＤ表示パネルは、ＬＥＤ実装モジュールの放熱基材への取付け作業が簡便に行えるため作業性は良好であるものの、ＬＥＤ素子用基板と放熱基材が接触しない部分が発生し、ＬＥＤ表示装置の放熱性は悪化する。しかしながら、ＬＥＤ素子用基板の支持基板の放熱基材表面に金属層１６が積層されている本実施形態のＬＥＤ表示装置の場合には、ＬＥＤ素子から発生した熱が支持基板１１を通じて金属層１６に蓄熱することが可能であり、金属層１６に蓄積された熱が金属層１６から接着部材４を通じて徐々に放熱基材に放熱することが可能である。よって、本発明のＬＥＤ表示パネルは、極めて簡便な構造で放熱性をも優れるＬＥＤ表示パネルである。
【００６４】
接着部材４を形成することのできる接着テープは特に限定されない。例えば、「ＮＩＴＴＯ５０００ＮＳ（日東電工）」等を用いることができる。又、熱伝導性粘着フィルムを用いてもよい。熱伝導性粘着フィルムを用いることにより、金属層１６に蓄積された熱を接着部材４を通じて放熱基材により放熱しやすくなる。熱伝導性粘着フィルムとしては例えば、「ＴＲ−５３１０（日東電工）（熱伝導率０．４Ｗ／ｍ・Ｋ）」や、「ＴＲ−５９１２Ｆ（日東電工）（熱伝導率１．１Ｗ／ｍ・Ｋ）」等の市販の熱伝導性テープを挙げることができる。
【００６５】
接着部材４の熱伝導率は特に限定されるものではないがレーザーフラッシュ法に基づき測定された接着部材４の厚さ方向の２５℃における熱伝導率は０．１Ｗ／Ｋ・ｍ以上であることが好ましく、０．２Ｗ／Ｋ・ｍ以上であることがより好ましい。接着部材４の厚さ方向の熱伝導率は０．１Ｗ／Ｋ・ｍ以上であることにより、金属層１６に蓄積された熱を接着部材４を通じて放熱基材により放熱しやすくなる。接着部材４の熱伝導率の上限は特に限定されないが、１０Ｗ／Ｋ・ｍ以下程度を挙げることができる。尚、レーザーフラッシュ法に基づく熱伝導率の測定はレーザーフラッシュ法熱定数測定装置（真空理工社製「ＴＣ−７０００」）等を用いることにより測定することができる。
【００６６】
接着部材４は、ＬＥＤ素子用基板の面積にもよるが、ＬＥＤ素子用基板の面積に対する接着部材４の面積の割合が２％以上１００％以下であることが好ましい。接着部材４の面積の割合が２％以上であることにより、放熱基材とＬＥＤ実装モジュールを安定的に固定することができ、且つ、金属層１６に蓄積された熱を接着部材４を通じて放熱基材により放熱しやすくなる。接着部材４の面積の割合が１００％以下であることにより、接着部材４を形成するための粘着テープ等の使用量を軽減することができ、且つ、放熱基材への取付け作業が簡便となり作業性がより向上する。
【００６７】
対角線の長さが少なくとも６５インチ以上の大型の表示画面用のＬＥＤ素子用基板の場合、接着部材４を形成するための粘着テープ等の使用量が増加するため、上記接着部材４の面積の割合を増加させることは好ましくない。大型の表示画面用のＬＥＤ素子用基板の場合には、ＬＥＤ素子用基板の面積に対する接着部材４の面積の割合が２％以上１０％以下程度になるように形成されていることが好ましい。尚、大型の表示画面用のＬＥＤ素子用基板の場合には、接着部材４は、ＬＥＤ実装領域直下とその周辺にのみに形成されていることが好ましい。
【００６８】
一方、上記の大型の表示画面用のＬＥＤ素子用基板とは異なり、面積の小さいＬＥＤ素子用基板の場合、接着部材４を形成するための粘着テープ等の使用量は減少するため、上記接着部材４の面積の割合を増加させることが好ましい。このようなＬＥＤ素子用基板の場合、ＬＥＤ素子用基板の面積に対する接着部材４の面積の割合が８０％以上１００％以下程度になるように形成されていることが好ましい。面積の小さいＬＥＤ素子用基板としては、例えば、ＬＥＤ素子が直線状に配置されるような短冊形状のＬＥＤ素子用基板を挙げることができる。
【００６９】
接着部材４を形成する位置は特に限定されない。例えば、背面のうちＬＥＤ素子２の実装されている領域の直下の領域に形成されていてもよいし、ＬＥＤ素子２の実装されている領域の直下の外縁近傍の領域に配置されていてもよい。
【００７０】
接着部材４の厚さは１００μｍ以上２００μｍ以下であることが好ましい。接着部材４の厚さが１００μｍ以上であることにより、放熱基材５とＬＥＤ実装モジュールとの接着性を向上させることができる。接着部材４の厚さが２００μｍ以下であることにより、放熱基材へ熱が伝わる性能が向上し、ＬＥＤ表示装置の放熱性を向上させることができる。
【００７１】
＜ＬＥＤ実装モジュールの製造方法＞
以下、本実施形態に関するＬＥＤ実装モジュール１０の製造方法の一例について説明する。ＬＥＤ実装モジュール１０は、先ず、従来公知の電子基板の製造方法の一つであるエッチング工程を用いて、ＬＥＤ素子用基板を製造し、これにＬＥＤ素子２を実装し、その後に、接着部材４を形成することによって製造することができる。
【００７２】
［ＬＥＤ素子用基板の製造］
（金属層積層工程）
支持基板１１の両表面に、金属層１６及び配線部１３の材料とする金属箔等の配線部１３を積層して材料とする積層体を得る。積層方法としては、金属箔を接着剤によって支持基板１１の表面に接着する方法、或いは、支持基板１１の表面に直接にメッキ方法や気相製膜法（スパッタリング、イオンプレーティング、電子ビーム蒸着、真空蒸着、化学蒸着等）により配線部１３を蒸着させる方法を挙げることができる。コストや生産性の面からは、金属箔をウレタン系の接着剤によって支持基板１１の表面に接着する方法が有利である。
【００７３】
（エッチング工程）
次に、上記の積層体の配線部１３の材料を積層した側の金属箔の表面に、配線部１３の形状にパターニングされたエッチングマスクを成形する。エッチングマスクは、将来、配線部１３となる金属箔の配線パターン成形部分がエッチング液による腐食を免れるために設けられる。エッチングマスクを成形する方法は特に限定されず、例えば、フォトレジスト又はドライフィルムをフォトマスクを通して感光させた後で現像することにより積層フィルムの表面にエッチングマスクを成形してもよいし、インクジェットプリンター等の印刷技術により積層フィルムの表面にエッチングマスクを成形してもよい。
【００７４】
次に、エッチングマスクに覆われていない箇所における金属箔を浸漬液により除去する。これにより、金属箔のうち、配線部１３となる箇所以外の部分が除去される。そして、最後に、アルカリ性の剥離液を使用して、エッチングマスクを除去する。これにより、エッチングマスクが配線部１３の表面から除去される。
【００７５】
（絶縁性保護膜形成工程）
配線部形成後、必要に応じて絶縁性保護膜１７を積層する。これらの積層は公知の方法によって行うことができる。採用する材料によりスクリーン印刷等の印刷法或いは、ドライラミネーション、熱ラミネーション法等、各種のラミネート処理方法によることができる。
【００７６】
（反射層積層工程）
配線部１３の形成後、その上に反射層１８を直接或いは絶縁性保護膜を介して、更に積層する。この積層は、上記製造方法によって得た反射層用のフィルムを、配線部１３等及び支持基板１１の表面に加熱圧着する熱ラミネーション法により好ましく行うことができる。この熱ラミネーションはＬＥＤ素子２の実装の前後の段階で、適宜、反射層を配線部１３等に圧着させるための独立した加熱処理として行ってもよい。ただし、下記に記す通り、ＬＥＤ実装モジュールの製造のプロセス内で、ＬＥＤ素子２の実装のためのハンダ処理時にハンダを溶融するための熱によって、ＬＥＤ素子２の実装のためのハンダ処理と反射層１８の配線部１３等への熱ラミネーション処理を同時に行うこともできる。
【００７７】
［ＬＥＤ素子用基板の実装］
（ＬＥＤ素子実装工程）
ＬＥＤ素子用基板１を用いたＬＥＤ実装モジュール１０の製造方法について説明する。配線部１３へのＬＥＤ素子２の接合は、ハンダ加工により好ましく行うことができる。このハンダによる接合は、リフロー方式、或いは、レーザー方式によることができる。リフロー方式は、配線部１３にハンダを介してＬＥＤ素子２を搭載し、その後、ＬＥＤ素子用基板１をリフロー炉内に搬送して、リフロー炉内で配線部１３に所定温度の熱風を吹きつけることで、ハンダペーストを融解させ、ＬＥＤ素子２を配線部１３にハンダ付けする方法である。又、レーザー方式とは、レーザーによってハンダを局所的に加熱して、ＬＥＤ素子２を配線部１３にハンダ付けする手法である。
【００７８】
配線部１３へのＬＥＤ素子２のハンダ接合を行う際は、支持基板１１における裏面側からのレーザー照射によって、ハンダのリフローを行う方法とすることが好ましい。これにより、加熱によるハンダの有機成分の発火とそれに伴う基材の損傷をより確実に抑制することができる。
【００７９】
［放熱基材の取り付け］
上記各工程を経て得たＬＥＤ素子用基板１のＬＥＤ素子が実装される表面の反対側の面に、上述の両面テープ等を、ＬＥＤ素子用基板のＬＥＤ素子が実装される表面の反対側の面に貼付する。そして、ＬＥＤ素子用基板に適度な押圧をかけることによって放熱基材に接着する。
【実施例】
【００８０】
以下、実施例を示して、本発明を更に具体的に説明するが、本発明は、以下の実施例に何ら限定されるものではない。
【００８１】
＜実施例のＬＥＤ表示装置の製造＞
本発明の実施例のＬＥＤ表示装置を製造した。具体的には、サイズが４００ｍｍ×５００ｍｍのフィルム状の支持基板（厚さ５０μｍのポリエチレンナフタレート、熱伝導率０．２Ｗ／Ｋ・ｍ）の表面の一方の面に、配線用の銅層（厚み３５μｍ）を積層し、支持基板の表面の他方の面に、金属層（金属及び厚さは表１に表記した。）を、接着剤（ウレタン系の接着剤（「ＫＴＥＰ」、ロックペイント社製））を用いて積層した。その後、配線用の銅層についてエッチング処理をし、ＬＥＤ素子用基板を製造した。配線用の銅層の被覆率は８０％であった。
【００８２】
その後、上記ＬＥＤ素子用基板の配線部にリフロー方式によりＬＥＤ素子を同様の条件にて実装し、ＬＥＤ実装モジュールを製造した。そして、ＬＥＤ実装モジュールの配線部が形成されていない側の表面に接着部材として粘着テープ（ＮＩＴＴＯ５０００ＮＳ（日東電工）を用いてＬＥＤ素子用基板の面積に対する接着部材４の面積の割合が１００％になるように貼付け、金属シャーシに貼付することにより、実施例のＬＥＤ表示装置を製造した。
【００８３】
＜比較例のＬＥＤ表示装置の製造＞
比較例のＬＥＤ表示装置については、支持基板の表面の他方の面に、金属層を積層せずにＬＥＤ表示装置を製造した以外は実施例のＬＥＤ表示装置と同様に製造をした。
【００８４】
＜放熱性試験＞
実施例及び比較例のＬＥＤ表示装置に同様の条件にて通電をし、ハンダ層の温度を温度計にて測定した。表１に金属層が積層されていない比較例のＬＥＤ表示装置のハンダ層の温度（８５．２℃）に対する、各実施例のＬＥＤ表示装置のハンダ層の温度の差（表１中、温度差と表記）を記載した。
【００８５】
【表１】
2017152450.tif 000003
【００８６】
表１より、本発明の支持基板の前記放熱基材表面には金属層が積層されているＬＥＤ表示装置は、ＬＥＤ素子からの発熱に対する放熱性を十分に向上させることができるＬＥＤ表示装置であることが分かる。
【符号の説明】
【００８７】
１００  ＬＥＤ表示装置
１    ＬＥＤ素子用基板
１０  ＬＥＤ実装モジュール
１１  支持基板
１２  接着層
１３  配線部
１４  ハンダ層
１５  接着層
１６  金属層
１７  絶縁性保護膜
１８  反射層
２    ＬＥＤ素子
３    表示画面
４    接着部材
５    放熱基材
【図１】
2017152450.tif 000004
【図２】
2017152450.tif 000005
【図３】
2017152450.tif 000006